(57)【要約】【課題】  デザイン上の制約を受けにくく、コストを抑えることができ、部品紛失等による作業遅延のおそれが少ない引手と当該引手の引戸への取付け構造を提供する。【解決手段】  本発明の引手を、指を掛けることのできる凹状の指掛け凹部と、指掛け凹部の周縁に設けられたフランジ部と、フランジ部の背面側に立設された周壁を備え、周壁に引手装着部に取付けられる他の引手や取付けベースに嵌合可能な嵌合手段を備えたものとした。本発明の引手取付け構造を、引手装着部に取付けられた取付けベースの外側に引手が配置され、取付けベースの嵌合凹部と引手の嵌合凸部とが引手装着部内で嵌合され、取付けベースの嵌合凸部と引手の嵌合凹部とが引手装着部内で嵌合された構造、或いは両引手の嵌合凸部と嵌合凹部とが当該引手装着部内で嵌合された構造とした。【選択図】図１
2018105092.tif 000002
【特許請求の範囲】
【請求項１】
引戸の引手装着部に装着して使用する引手において、
指を掛けることのできる凹状の指掛け凹部と、当該指掛け凹部の周縁に設けられたフランジ部と、当該フランジ部の背面側に立設された周壁を備え、
前記周壁に、前記引手装着部に取付けられる他の引手又は前記引手装着部に取付けられる取付けベースに嵌合可能な嵌合手段が設けられた、
ことを特徴とする引手。
【請求項２】
請求項１記載の引手において、
引手は引手本体と枠部材を備え、
前記引手本体と枠部材は相互に係止可能な係止手段が設けられ、
前記引手本体と枠部材は分離又は結合することができ、
前記引手本体に指掛け凹部が設けられ、
前記枠部材に周壁が設けられ、
前記枠部材の周壁に嵌合手段として嵌合凸部と嵌合凹部が設けられ、
前記嵌合凸部は他の引手の嵌合凹部又は取付けベースの嵌合凹部に嵌合可能であり、
前記嵌合凹部は他の引手の嵌合凸部又は取付けベースの嵌合凸部に嵌合可能である、
ことを特徴とする引手。
【請求項３】
請求項２記載の引手において、
嵌合凸部が、上下を逆さまにした他の引手と嵌合するときに、当該逆さまにした引手の嵌合凹部に嵌合可能な位置に設けられ、
嵌合凹部が、上下を逆さまにした他の引手と嵌合するときに、当該逆さまにした引手の嵌合凸部に嵌合可能な位置に設けられた、
ことを特徴とする引手。
【請求項４】
請求項２又は請求項３記載の引手において、
嵌合凸部の側周面と嵌合凹部の内周面に噛合い部が設けられ、
前記嵌合凸部の噛合い部は、他の引手又は取付けベースの嵌合凹部の内周面に設けられた噛合い部と噛み合い可能であり、
前記嵌合凹部の噛合い部は、他の引手又は取付けベースの嵌合凸部の側周面に設けられた噛合い部と噛み合い可能である、
ことを特徴とする引手。
【請求項５】
引戸に設けられた有底の引手装着部への引手の取付け構造において、
引手装着部に取付けられる取付けベースと当該取付けベースに結合する引手を備え、
前記引手は請求項１から請求項４のいずれか１項に記載の引手であり、
前記引手装着部に取付けベースが取り付けられ、
前記引手装着部に取付けられた取付けベースの外側に前記引手が配置され、
前記取付けベースの嵌合凹部と前記引手の嵌合凸部とが前記引手装着部内で嵌合され、
前記取付けベースの嵌合凸部と前記引手の嵌合凹部とが前記引手装着部内で嵌合された、
ことを特徴とする引手取付け構造。
【請求項６】
引戸に貫通して設けられた引手装着部への引手の取付け構造において、
請求項１から請求項４のいずれか１項に記載の引手を二つ備え、
前記引手装着部の一方の開口部から挿入された引手の嵌合凸部と当該引手装着部の他方の開口部から挿入された引手の嵌合凹部とが当該引手装着部内で嵌合され、
前記引手装着部の一方の開口部から挿入された引手の嵌合凹部と当該引手装着部の他方の開口部から挿入された引手の嵌合凸部とが当該引手装着部内で嵌合された、
ことを特徴とする引手取付け構造。
【発明の詳細な説明】
【技術分野】
【０００１】
本発明は、引戸用の引手と当該引手の引戸への取付け構造（引手取付け構造）に関するものである。
【背景技術】
【０００２】
引戸には開閉する際に指を掛ける引手が設けられている。引手は扉の片面のみに設けられることもあれば、扉の両面に設けられることもある。従来、引戸用の引手として、引手の背面側に取付けられる結合体を介して両面取付けを可能にしたもの（特許文献１）や、引手の背面に取付けられるアタッチメントを介して両面取付け及び片面取付けを可能にしたもの（特許文献２）が提案されている。
【先行技術文献】
【特許文献】
【０００３】
【特許文献１】特開２０１５−１０４５７号公報
【特許文献２】特開２０１５−８１４３７号公報
【発明の概要】
【発明が解決しようとする課題】
【０００４】
前記従来の引手は、引手同士を直接連結するものではなく、引手に結合体やアタッチメントを取り付け、それら結合体やアタッチメントを介して引手を連結するものであるため、結合体やアタッチメントが不可欠である。従来の引手は、結合体やアタッチメントを取り付ける部分がフランジ部の裏側に設けられているため、フランジ部の幅を結合体やアタッチメントを取り付けられるように広くしておかなければならず、フランジ部を狭くしたい等のデザイン上の要望に応えるのが難しかった。
【０００５】
上記のほか、従来の結合体やアタッチメントを用いる引手には、結合体やアタッチメントの分だけコストが高くなること、結合体やアタッチメントの脱落や紛失により作業遅延が生じるおそれがあること等の課題もあった。
【０００６】
本発明の解決課題は、従来の引手に比してデザイン上の制約を受けにくく、コストを抑えることができ、部品紛失等による作業遅延のおそれが少ない引手と当該引手の取付け構造を提供することにある。
【課題を解決するための手段】
【０００７】
［引手］
本発明の引手は、引戸の引手装着部に装着して使用する引手であって、指を掛けることのできる凹状の指掛け凹部と、当該指掛け凹部の周縁に設けられたフランジ部と、当該フランジ部の背面側に立設された周壁を備え、前記周壁に、前記引手装着部に取付けられる他の引手又は前記引手装着部に取付けられる取付けベースに嵌合可能な嵌合手段が設けられたものである。
【０００８】
前記引手は引手本体と枠部材を備え、前記引手本体と枠部材は相互に係止可能な係止手段が設けられ、前記引手本体と枠部材は分離又は結合することができ、前記引手本体に指掛け凹部が設けられ、前記枠部材に周壁が設けられ、前記枠部材の周壁に嵌合手段として嵌合凸部と嵌合凹部が設けられ、前記嵌合凸部は他の引手の嵌合凹部又は取付けベースの嵌合凹部に嵌合可能であり、前記嵌合凹部は他の引手の嵌合凸部又は取付けベースの嵌合凸部に嵌合可能なものとすることもできる。
【０００９】
前記引手において、嵌合凸部は上下を逆さまにした他の引手と嵌合するときに、当該逆さまにした引手の嵌合凹部に嵌合可能な位置に設け、嵌合凹部は上下を逆さまにした他の引手と嵌合するときに、当該逆さまにした引手の嵌合凸部に嵌合可能な位置に設けることができる。
【００１０】
前記引手において、嵌合凸部の側周面と嵌合凹部の内周面に噛合い部を設け、嵌合凸部の噛合い部を、他の引手又は取付けベースの嵌合凹部の内周面に設けられた噛合い部と噛み合い可能なものとし、嵌合凹部の噛合い部を、他の引手又は取付けベースの嵌合凸部の側周面に設けられた噛合い部と噛み合い可能なものとすることもできる。
【００１１】
［引手取付け構造］
本発明の引手取付け構造は、引戸に設けられた有底の引手装着部への引手の取付け構造であって、引手装着部に取付けられる取付けベースと当該取付けベースに結合する引手を備え、引手を前記いずれかの引手とし、引手装着部に取付けベースが取り付けられ、引手装着部に取付けられた取付けベースの外側に前記引手が配置され、取付けベースの嵌合凹部と引手の嵌合凸部とが引手装着部内で嵌合され、取付けベースの嵌合凸部と引手の嵌合凹部とが引手装着部内で嵌合された構造である。なお、本願において有底の引手装着部とは、引戸の厚さ方向に貫通していない引手装着部を意味する。
【００１２】
本発明の他の引手取付け構造は、引戸に貫通して設けられた引手装着部への引手の取付け構造であって、引手として前記いずれかの引手を二つ備え、引手装着部の一方の開口部から挿入された引手の嵌合凸部と引手装着部の他方の開口部から挿入された引手の嵌合凹部とが引手装着部内で嵌合され、引手装着部の一方の開口部から挿入された引手の嵌合凹部と引手装着部の他方の開口部から挿入された引手の嵌合凸部とが引手装着部内で嵌合された構造である。
【発明の効果】
【００１３】
［引手］
本発明の引手はフランジ部の背面側に立設された周壁に他の引手や取付けベースに嵌合可能な嵌合手段が設けられ、従来必要であった連結具やアタッチメントが不要であるため、フランジ部の裏側に結合体やアタッチメントを取り付けるためのスペースを確保する必要がなく、フランジ部を狭くしたい等のデザイン上の要望に応えやすい。また、連結具やアタッチメントが不要であるためコストを抑えることができ、部品紛失等による作業遅延のおそれも少ない。
【００１４】
［引手取付け構造］
本発明の引手取付け構造は、引手同士或いは引手と取付けベースとを直接嵌合することができるため、連結具やアタッチメント介して連結する場合に比して嵌合が確実であり、引手が不用意に脱落するような問題が生じにくい。
【図面の簡単な説明】
【００１５】
【図１】（ａ）は引手を引戸の片面側に取付ける場合の説明図、（ｂ）は引手を引戸の両面側に取付ける場合の説明図。
【図２】引手を引戸の片面側に取付ける場合に用いる取付けベースと引手の説明図。
【図３】引手を引戸の両面側に取付ける場合に用いる二つの引手の説明図。
【図４】本発明の引手の一例を示すものであって、（ａ）は図３の左側の引手具の分解斜視図、（ｂ）は図３の右側の引手具の分解斜視図。
【図５】（ａ）は枠部材と引手本体を別体とした引手の一例を示す正面図、（ｂ）は（ａ）のＡ−Ａ断面図、（ｃ）は枠部材と引手本体を一体物とした引手の一例を示す正面図、（ｄ）は（ｃ）のＢ−Ｂ断面図。
【図６】嵌合凸部及び嵌合凹部の構造を説明するものであって、（ａ）は嵌合凸部及び嵌合凹部の概要図、（ｂ）は（ａ）のＡ部拡大図、（ｃ）は（ａ）のＢ部拡大図。
【図７】本発明の引手の一例を示す意匠図であって、（ａ）は正面図、（ｂ）は（ａ）に示す引手の背面図、（ｃ）は（ａ）に示す引手の左側面図、（ｄ）は（ａ）に示す引手の右側面図、（ｅ）は（ａ）に示す引手の平面図、（ｆ）は（ａ）に示す引手の底面図。
【図８】本発明のベースの一例を示す意匠図であって、（ａ）は正面図、（ｂ）は（ａ）に示すベースの背面図、（ｃ）は（ａ）に示すベースの左側面図、（ｄ）は（ａ）に示すベースの右側面図、（ｅ）は（ａ）に示す引手の平面図、（ｆ）は（ａ）に示す引手の底面図。
【発明を実施するための形態】
【００１６】
（実施形態）
本発明の実施形態の一例を、図面を参照して説明する。本発明の引手１は引戸２に設けられた引手装着部３に装着して使用するものであり、引手装着部３に取り付けられた他の引手１や取付けベース（以下「ベース」という）４への取付けに固定具を必要としない、いわゆるワンタッチ式の引手である。本発明の引手１は、図１（ａ）のように引戸２の片面側に取り付けることも、図１（ｂ）のように引戸２の両面側に取り付けることもできる。引戸２の片面側に取り付ける場合、図１（ａ）や図２に示すように、ベース４と引手１を用いる。具体的には、引戸２に凹設された有底の引手装着部３にベース４を取り付け、そのベース４に引手１を取り付ける。他方、引戸２の両面側に取り付ける場合、図１（ｂ）及び図３に示すように、同一の引手１を二つ用いる。具体的には、引戸２に貫通して設けられた引手装着部３の両面側から上下逆さまにした引手１を挿入し、両引手１を連結する。図２に示す引手１と図３に示す二つの引手１は、いずれも同じ構造のものである。なお、引手装着部３は、引手１をスムーズに収めることができ、且つ、収めた引手１ががたつかないように、引手１の形状に合わせて形成してある。
【００１７】
前記引手１は、図４（ａ）（ｂ）に示すように、指掛け用の凹部（以下「指掛け凹部」という）５を備えた縦長形状の引手本体６と、引手本体６と結合する枠部材７を備えている。指掛け凹部５を構成する周壁は対向する本体長辺部６ａと両本体長辺部６ａの一端側に位置する本体第一湾曲部６ｂと両本体長辺部６ａの他端側に位置する本体第二湾曲部６ｃを備えている。周壁の前後方向の一方には底面６ｄが設けられている。
【００１８】
前記本体長辺部６ａの外周面には係止手段として係止突部８が長さ方向に間隔をあけて四つ設けられている。この係止突部８は、枠部材７に設けられた係止孔（係止手段）９に嵌合するものである。係止突部８の数は一例でありこれより多くても少なくてもよい。また、その形状も係止孔９に係止可能な形状であればこれ以外であってもよい。
【００１９】
図４（ａ）（ｂ）に示すように、前記枠部材７は引手本体６の外周を被覆可能な縦長の環状部材である。枠部材７と引手本体６は、この実施形態のように別体とすることも一体物とすることもできる。枠部材７の奥行方向一方側の開口の周縁には、外向きに突設するフランジ部１０が設けられている。この実施形態では、フランジ部１０に指掛け部（手掛り）１１が内向きに突設されている。枠部材７と引手本体６を別体とする場合、手掛り１１は枠部材７或いは引手本体６に設けることができる。枠部材７と引手本体６を一体物とする場合、図５（ｃ）（ｄ）に示すように、指掛け凹部５を構成する周壁に勾配を設けておき、当該勾配の付いた傾斜面１１ａを手掛り１１とすることができる。
【００２０】
前記枠部材７のフランジ部１０の裏面側の全周には周壁（本願において「枠部材周壁」という）１２が立設されている。枠部材周壁１２は対向する枠部材長辺部１２ａと両枠部材長辺部１２ａの一端側に位置する枠部材第一湾曲部１２ｂと両枠部材長辺部１２ａの他端側に位置する枠部材第二湾曲部１２ｃを備えている。この枠部材周壁１２には、係止孔９、嵌合凸部１３及び嵌合凹部１４が設けられている。嵌合凸部１３は他の引手１の嵌合凹部１４やベース４の嵌合凹部（以下「ベース嵌合凹部」という）１５に嵌合できるように枠部材７に結合された引手本体６の底面６ｄよりも背面側に突出させてある。
【００２１】
この実施形態では、枠部材長辺部１２ａと枠部材第一湾曲部１２ｂと枠部材第二湾曲部１２ｃのそれぞれに嵌合凸部１３と嵌合凹部１４の双方又はいずれか一方を設けてあるが、嵌合凸部１３及び嵌合凹部１４は、枠部材長辺部１２ａと枠部材第一湾曲部１２ｂと枠部材第二湾曲部１２ｃのいずれかに、双方又はいずれか一方を設けることもできる。
【００２２】
本発明では、一つの引手１を上下逆さまにしても使用できるように、上下を逆さまにした引手１同士を嵌合させるときに、一方の引手１の嵌合凸部１３が他方の引手１の嵌合凹部１４に嵌合され、一方の引手１の嵌合凹部１４が他方の引手１の嵌合凸部１３に嵌合される位置に、嵌合凸部１３及び嵌合凹部１４を設けてある。
【００２３】
この実施形態では、嵌合凸部１３が両枠部材長辺部１２ａの半分よりも枠部材第一湾曲部１２ｂ側に二つずつと枠部材第一湾曲部１２ｂに一つ設けられ、嵌合凹部１４が両枠部材長辺部１２ａの半分よりも第二湾曲部１２ｃ側に二つずつと枠部材第二湾曲部１２ｃに一つ設けられている。両枠部材長辺部１２ａや枠部材第一湾曲部１２ｂに設けられた嵌合凸部１３は、他の引手１の嵌合凹部１４や前記ベース４のベース嵌合凹部１５（図２）に嵌合される。両枠部材長辺部１２ａや枠部材第二湾曲部１２ｃに設けられた嵌合凹部１４は、他の引手１の嵌合凸部１３や前記ベース４の嵌合凸部（以下「ベース嵌合凸部」という）１６（図２）に嵌合される。
【００２４】
この実施形態の嵌合凸部１３は四角形状であり、先端の角部を面取りしたものである。面取りしてあるのは、この部分をガイドとして、嵌合凸部１３を嵌合凹部１４やベース嵌合凹部１５に嵌合しやすくするためである。同様の理由で、嵌合凹部１４を構成する凹部構成突片１４ａの先端の角部、ベース嵌合凹部１５を構成するベース凹部構成突片１５ａの先端の角部も面取りしてある。嵌合凸部１３及び嵌合凹部１４はこれ以外の形状、構造、数とすることもできる。
【００２５】
枠部材長辺部１２ａに設けられた嵌合凹部１４は、間隔をあけて設けられた二つの凹部構成突片１４ａの間に形成されている。二つの嵌合凹部１４を構成する凹部構成突片１４ａのうち、相互に隣接する凹部構成突片１４ａの間には隙間１７が確保されており、嵌合凹部１４に他の引手１の嵌合凸部１３やベース嵌合凸部１６が嵌合されるときに嵌合凹部１４が広がって嵌合しやすいようにしてある。
【００２６】
枠部材第一湾曲部１２ｂの嵌合凸部１３の外側には位置合わせ手段として二つのボス１８が設けられ、枠部材第二湾曲部１２ｃの嵌合凹部１４の外側には位置合わせ手段として二本の位置合わせピン１９が設けられている。枠部材第一湾曲部１２ｂの嵌合凸部１３の外側に設けられたボス１８には、他の引手１の位置合わせピン１９や前記ベース４の位置合わせピン（以下「ベース側ピン」という）２０が差し込まれ、枠部材第二湾曲部１２ｃの嵌合凹部１４の外側に設けられた位置合わせピン１９は、他の引手１のボス１８や前記ベース４のボス（以下「ベース側ボス」という）２１に差し込まれる。位置合わせピン１９は嵌合凸部１３の突出長よりも長く、位置合わせピン１９の先端が、嵌合凸部１３の端面よりも外側に突出するようにしてある。ボス１８及び位置合わせピン１９なしで位置合わせを確実に行えるような場合には、ボス１８及び位置合わせピン１９は省略することもできる。
【００２７】
図６（ａ）〜（ｃ）に示すように、前記嵌合凸部１３の両側周面及び嵌合凹部１４の内周面には噛合い部２２が設けられている。噛合い部２２は嵌合させるときは互いに嵌合しやすく、嵌合した後は外れにくい形状としてある。嵌合凸部１３に設けられた噛合い部２２は、他の引手１の嵌合凹部１４に設けられた噛合い部２２や前記ベース４のベース嵌合凹部１５に設けられた噛合い部（以下「ベース側噛合い部」という）２３と噛合い、嵌合凹部１４に設けられた噛合い部２２は、他の引手１の嵌合凸部１３に設けられた噛合い部２２やベース嵌合凸部１６に設けられたベース側噛合い部２３と噛合う。
【００２８】
前記嵌合凸部１３の噛合い部２２は、連続する多数の細かい凹凸で構成されている。それぞれの凹凸は、図６（ａ）（ｂ）に示すように、嵌合方向先方側の面（以下「先方面」という）２２ａと、嵌合方向後方側の面（以下「後方面」という）２２ｂと、先方面と後方面の間の平坦面２２ｃを備えている。図示する例は、先方面２２ａが緩斜面で後方面が直立面の場合の例であるが、先方面２２ａ及び後方面２２ｂの角度はこれ以外であってもよい。例えば、先方面と後方面の双方を傾斜面とすることもできる。このようにした場合、後方面を直立面とした場合に比べて、引手１を引き抜きやすく、嵌合が良好に行えなかった場合に引き抜いて嵌合し直せるというメリットがある。なお、先方面と後方面の双方を傾斜面とする場合、両者を同じ傾斜角度とすることも異なる傾斜角度とすることもできる。
【００２９】
嵌合凸部１３の噛合い部２２と同様、嵌合凹部１４の噛合い部２２も連続する多数の細かい凹凸で構成されている。それぞれの凹凸は、図６（ａ）（ｃ）に示すように、嵌合方向奥側の面（以下「奥側面」という）２２ｄと、嵌合方向手前側の面（以下「手前側面」という）２２ｅと、奥側面と手前側面の間の平坦面２２ｆを備えている。図示する例は、奥側面２２ｄが直立面で手前側面が緩斜面の場合の例であるが、奥側面２２ｄ及び手前側面２２ｅの角度はこれ以外であってもよい。
【００３０】
前記引手本体６と枠部材７は、引手本体６を枠部材７の開口部に挿入し、引手本体６の本体長辺部６ａに設けられた係止突部８を枠部材７の枠部材長辺部１２ａに設けられた係止孔９に嵌合させることによって連結され、一つの引手１となる。
【００３１】
引手本体６と枠部材７とが結合した引手１を意匠的にみると、図７（ａ）〜（ｆ）に示す形態（外観）を呈する。図７（ａ）は引手１の一例を示す正面図、図７（ｂ）は図７（ａ）に示す引手１の背面図、図７（ｃ）は図７（ａ）に示す引手１の左側面図、図７（ｄ）は図７（ａ）に示す引手１の右側面図、図７（ｅ）は図７（ａ）に示す引手１の平面図、図７（ｆ）は図７（ａ）に示す引手１の底面図である。ここで示す引手１の形態は一例でありこれ以外の形態とすることもできる。
【００３２】
前記ベース４は、本発明の引手１を図１（ａ）のように引戸２の片面側に取り付ける場合に引戸２の有底の引手装着部３に取り付けるものである。一例として図２に示すベース４は、縦長形状の取付け面２４の表面側の全周にベース周壁２５が立設されたものである。ベース周壁２５は、対向するベース長辺部２５ａと両ベース長辺部２５ａの一端側に位置するベース第一湾曲部２５ｂと両ベース長辺部２５ａの他端側に位置するベース第二湾曲部２５ｃを備えている。このベース周壁２５には、ベース嵌合凸部１６及びベース嵌合凹部１５が設けられている。
【００３３】
この実施形態では、ベース嵌合凸部１６が両ベース長辺部２５ａの半分よりもベース第一湾曲部２５ｂ側に二つずつとベース第一湾曲部２５ｂに一つ設けられ、ベース嵌合凹部１５が両ベース長辺部２５ａの半分よりもベース第二湾曲部２５ｃ側に二つずつとベース第二湾曲部２５ｃに一つ設けられている。両ベース長辺部２５ａやベース第一湾曲部２５ｂに設けられたベース嵌合凸部１６は、引手１の嵌合凹部１４と嵌合される。両ベース長辺部２５ａやベース第二湾曲部２５ｃに設けられたベース嵌合凹部１５は、引手１の嵌合凸部１３と嵌合される。ベース嵌合凸部１６及びベース嵌合凹部１５はこれ以外の形状、構造、数とすることもできる。
【００３４】
ベース長辺部２５ａに設けられたベース嵌合凹部１５は、間隔をあけて設けられた二つのベース凹部構成突片１５ａの間に形成されている。二つのベース嵌合凹部１５を構成するベース凹部構成突片１５ａのうち、相互に隣接するベース凹部構成突片１５ａの間には隙間２６が確保されており、ベース嵌合凹部１５に引手１の嵌合凸部１３が嵌合されるときにベース嵌合凹部１５が広がって嵌合しやすいようにしてある。
【００３５】
ベース第二湾曲部２５ｃのベース嵌合凹部１５の外側には位置合わせ手段として二本のベース側ピン２０が突設され、ベース第一湾曲部２５ｂのベース嵌合凸部１６の外側には位置合わせ手段として二つのベース側ボス２１が設けられている。ベース側ピン２０は引手１のボス１８に差し込まれ、ベース側ボス２１には引手１の位置合わせピン１９が差し込まれる。ベース側ピン２０はベース嵌合凸部１６の突出長よりも長く、ベース側ピン２０の先端が、ベース嵌合凸部１６の端面よりも外側に突出するようにしてある。
【００３６】
前記ベース嵌合凸部１６の両側周面及びベース嵌合凹部１５の内周面にはベース側噛合い部２３が設けられている。この実施形態では、図６（ａ）〜（ｃ）に示す引手１の噛合い部２２と同じ形状としてあるが、ベース側噛合い部２３の形状は、引手１の噛合い部２２の形状に合わせて変更することができる。いずれの場合も、嵌合させるときは嵌合しやすく、嵌合した後は外れにくい形状とするのが好ましい。ベース嵌合凸部１６に設けられたベース側噛合い部２３は、引手１の嵌合凹部１４に設けられた噛合い部２２と噛合い、ベース嵌合凹部１５に設けられたベース側噛合い部２３は、引手１の嵌合凸部１３に設けられた噛合い部２２と噛合う。
【００３７】
この実施形態のベース４を意匠的にみると、図８の（ａ）〜（ｆ）に示す形態（外観）を呈する。図８（ａ）はベース４の一例を示す正面図、図８（ｂ）は図８（ａ）に示すベース４の背面図、図８（ｃ）は図８（ａ）に示すベース４の左側面図、図８（ｄ）は図８（ａ）に示すベース４の右側面図、図８（ｅ）は図８（ａ）に示すベース４の平面図、図８（ｆ）は図８（ａ）に示すベース４の底面図である。ここで示すベース４の形態は一例であり、これ以外の形態とすることもできる。
【００３８】
本発明の引手１は、ＡＢＳ樹脂やＡＳＡ樹脂といった各種樹脂で製造することができ、表面は塗装のほかメッキ処理などをすることができる。
【００３９】
（引手の取付け例１）
本発明の引手１の引戸２への取付け方の一例を、図面を参照して説明する。この取り付け例は、引手１を引戸２の片面側に取り付ける場合の例である。引手１を引戸２の片面側に取付ける場合は、引手１とベース４を一つずつ用いる。
【００４０】
はじめに、ベース４を引戸２の有底の引手装着部３に挿入し、ネジなどの固定具２７によって固定する。ベース４は、ベース嵌合凸部１６及びベース嵌合凹部１５が外側を向くように固定する。
【００４１】
次いで、引手装着部３に固定されたベース４の外側から当該引手装着部３に引手１をセットし、引手１の位置合わせピン１９をベース側ボス２１に差し込んで位置合わせを行う。
【００４２】
位置合わせ後、引手１をベース４側に向けて押し込み、ベース嵌合凸部１６と嵌合凹部１４及びベース嵌合凹部１５と嵌合凸部１３を嵌合させる。ベース嵌合凸部１６と嵌合凹部１４及びベース嵌合凹部１５と嵌合凸部１３を嵌合させることによって、引手１が引戸２の片面側に取付けられる。
【００４３】
ベース嵌合凸部１６と嵌合凹部１４及びベース嵌合凹部１５と嵌合凸部１３を嵌合させる前に引手１の位置合わせピン１９をベース側ボス２１に差し込んで位置合わせを行うため、位置ずれがなく、取付け作業が容易である。
【００４４】
（引手取付け構造１）
前記取付け例１に示す方法で取り付けられた引手１は、引手装着部３に取付けられたベース４の外側に引手１が配置され、引手１の位置合わせピン１９とベース側ボス２１が嵌合され、ベース嵌合凹部１５と引手１の嵌合凸部１３とが引手装着部３内で嵌合され、ベース嵌合凸部１６と引手１の嵌合凹部１４とが引手装着部３内で嵌合された構造となる。この構造は、ベース嵌合凹部１５と嵌合凸部１３及びベース嵌合凸部１６と嵌合凹部１４を嵌合させる前に、位置合わせピン１９をベース側ボス２１に差し込んで位置合わせが行われているため、位置ずれのない構造となる。
【００４５】
（引手の取付け例２）
本発明の引手１の引戸２への取付け方の他例を、図面を参照して説明する。この取り付け例は、引手１を引戸２の両面側に取り付ける場合の例である。引手１を引戸２の両面側に取付ける場合は、引手１を二つ用いる。
【００４６】
はじめに、引戸２に貫通して設けられた引手装着部３の一方の開口部から引手１をセットし、他方の開口部から先にセットした引手１とは上下を逆さまにした引手１をセットする。両引手１は引手本体６の底面６ｄの外側同士が対向する向きでセットする。
【００４７】
次いで、両引手１の位置合わせピン１９をボス１８に差し込んで位置合わせを行う。両引手１を奥に向けて押し込み、両引手１の嵌合凸部１３と嵌合凹部１４を嵌合させる。両引手１の嵌合凸部１３と嵌合凹部１４を嵌合させることによって、両引手１が扉の両面側に取付けられる。
【００４８】
嵌合凸部１３と嵌合凹部１４を嵌合させる前に引手１の位置合わせピン１９をボス１８に差し込んで位置合わせを行うため、位置ずれがなく、取付け作業が容易である。
【００４９】
（引手取付け構造２）
前記取付け例２に示す方法で取り付けられた引手１は、二つの引手１のうち一方の引手１が引手装着部３の一方の開口部から挿入され、他方の引手１が引手装着部３の他方の開口部から挿入され、両引手１の位置合わせピン１９とボス１８が嵌合され、両引手１の嵌合凸部１３と嵌合凹部１４が引手装着部３内で嵌合された構造となる。この構造は、両引手１の嵌合凸部１３と嵌合凹部１４を嵌合させる前に、位置合わせピン１９をボス１８に差し込んで位置合わせが行われているため、位置ずれのない構造となる。
【００５０】
なお、位置合わせ手段のない引手１同士、或いは位置合わせ手段のない引手１とベース４との取付け時には、位置合わせ手段の嵌合は省略される。この場合、前者の取付け構造は、両引手１の嵌合凸部１３と嵌合凹部１４が引手装着部３内で嵌合された構造となり、後者の取付け構造は、ベース嵌合凹部１５と嵌合凸部１３とが引手装着部３内で嵌合され、ベース嵌合凸部１６と嵌合凹部１４とが引手装着部３内で嵌合された構造となる。
【産業上の利用可能性】
【００５１】
本発明の引手１は各種引戸に取付ける引手として、本発明の引手取付け構造は、各種引戸に取付ける引手の取付け構造として利用することができる。
【符号の説明】
【００５２】
１      引手
２      引戸
３      引手装着部
４      取付けベース（ベース）
５      指掛け凹部
６      引手本体
６ａ    本体長辺部
６ｂ    本体第一湾曲部
６ｃ    本体第二湾曲部
６ｄ    底面
７      枠部材
８      係止突部（係止手段）
９      係止孔（係止手段）
１０    フランジ部
１１    指掛け部（手掛り）
１１ａ  傾斜面
１２    枠部材周壁
１２ａ  枠部材長辺部
１２ｂ  枠部材第一湾曲部
１２ｃ  枠部材第二湾曲部
１３    嵌合凸部
１４    嵌合凹部
１４ａ  凹部構成突片
１５    ベース嵌合凹部
１５ａ  ベース凹部構成突片
１６    ベース嵌合凸部
１７    隙間
１８    ボス（位置合わせ手段）
１９    位置合わせピン（位置合わせ手段）
２０    ベース側ピン（位置合わせ手段）
２１    ベース側ボス（位置合わせ手段）
２２    噛合い部
２２ａ  先方面
２２ｂ  後方面
２２ｃ  平坦面
２２ｄ  奥側面
２２ｅ  手前側面
２２ｆ  平坦面
２３    ベース側噛合い部
２４    取付け面
２５    ベース周壁
２５ａ  ベース長辺部
２５ｂ  ベース第一湾曲部
２５ｃ  ベース第二湾曲部
２６    隙間
２７    固定具
【図１】
2018105092.tif 000003
【図２】
2018105092.tif 000004
【図３】
2018105092.tif 000005
【図４】
2018105092.tif 000006
【図５】
2018105092.tif 000007
【図６】
2018105092.tif 000008
【図７】
2018105092.tif 000009
【図８】
2018105092.tif 000010